(57)【要約】【課題】移動中継の隣接セル情報のメンテナンス方法及び装置を提供する。【解決手段】該方法は、前記ＭＲが指定の駅にいる場合の隣接セル関係情報を取得することと、前記隣接セル関係情報が前記ＭＲの管轄下のユーザ機器ＵＥが移転可能なセル情報を含み、前記隣接セル関係情報に基づいて、前記ＭＲの隣接セルリストのメンテナンスを行うこととを含む。本発明の上記技術案によると、関連技術における移動環境（例えば高速鉄道環境）において、ＭＲが如何に隣接セル自動生成及び最適化を実現するか等の技術問題を解決し、ＭＲ下のＵＥが適切な隣接セルに高速に移転することができ、ＭＲの切り換え及びネットワーク性能の最適化を実現することができる。【選択図】図２
2015535671.tif 000002
【特許請求の範囲】
【請求項１】
移動中継ＭＲに応用されるＭＲ隣接セル情報のメンテナンス方法であって、
前記ＭＲが指定の駅にいる場合の、前記ＭＲの管轄下のユーザ機器ＵＥが移転可能なセル情報を含む隣接セル関係情報を取得することと、
前記隣接セル関係情報に基づいて、前記ＭＲの隣接セルリストのメンテナンスを行うことと、を含むＭＲ隣接セル情報のメンテナンス方法。
【請求項２】
前記ＭＲが指定の駅にいる場合の隣接セル関係情報を取得することが、
前記指定の駅に関連付けられたドナー基地局ＤｅＮＢから送信された前記隣接セル関係情報を受信することを含む請求項１に記載の方法。
【請求項３】
前記ＭＲと前記ＤｅＮＢとの間のＸ２インターフェースメッセージ又はＳ１インターフェースメッセージにより前記隣接セル関係情報を受信する方式で、前記指定の駅に関連付けられたＤｅＮＢから送信された前記隣接セル関係情報を受信する請求項２に記載の方法。
【請求項４】
前記ＭＲが指定の駅にいる場合の隣接セル関係情報を取得することが、
前記指定の駅に関連付けられたＤｅＮＢにアクセスすることと、
前記ＵＥに自動隣接セル関係ＡＮＲ測定フローの開始を通知することと、
前記ＡＮＲ測定フローを経て隣接セル情報を取得し、該隣接セル情報に基づいて前記隣接セル関係情報を確定することと、を含む請求項１に記載の方法。
【請求項５】
前記ＵＥにＡＮＲ測定フローの開始を通知することが、
前記ＵＥに前記ＡＮＲ測定フローの開始を指示するための指示情報を載せた下り専用メッセージによって、前記ＵＥにＡＮＲ測定フローの開始を通知することを含む請求項４に記載の方法。
【請求項６】
前記隣接セルリストがＬＴＥシステム間又は周波数間の隣接セル関係情報である場合、前記下り専用メッセージには、測定対象であるターゲットＬＴＥシステム又は周波数帯域情報がさらに載せられる請求項５に記載の方法。
【請求項７】
取得した前記隣接セル関係情報に基づいて、前記ＭＲの隣接セルリストのメンテナンスを行うことが、
取得した前記隣接セル関係情報に基づいて、前記ＭＲの隣接セルリストを確立することと、
取得した前記隣接セル関係情報に基づいて、前記ＭＲの既存の隣接セルリストを更新することの中の一つを含む請求項２乃至６の中のいずれかに記載の方法。
【請求項８】
前記隣接セルリストが、
長期進化型ＬＴＥシステム内又は周波数内の隣接セル関係情報、ＬＴＥ周波数間又はシステム間の隣接セル関係情報の中の一つを含む請求項１乃至５の中のいずれかに記載の方法。
【請求項９】
前記ＭＲが移動して指定の駅にいる場合の隣接セル関係情報を取得することが、
前記指定の駅に関連付けられたドナー基地局ＤｅＮＢから送信された第１の隣接セル関係情報を受信することと、前記指定の駅に関連付けられたＤｅＮＢにアクセスすることと、前記ＵＥにＡＮＲ測定フローの開始を通知することと、前記ＡＮＲ測定フローにより隣接セル情報を取得し、該隣接セル情報に基づいて、第２の隣接セル関係情報を確定することと、を含み、
取得した前記隣接セル関係情報に基づいて、前記移動中継の隣接セルリストのメンテナンスを行うことが、
前記第１の隣接セル関係情報に基づいて、初期隣接セルリストを確立することと、前記第２の隣接セル関係情報に基づいて、前記初期隣接セルリストの完全化又は更新を行うことと、を含む請求項１に記載の方法。
【請求項１０】
前記ＭＲが前記指定の駅の次の駅に移動した場合、前記隣接セル関係情報の取得を停止することをさらに含む請求項１、２、４、９の中のいずれかに記載の方法。
【請求項１１】
移動中継ＭＲに応用されるＭＲ隣接セル情報のメンテナンス装置であって、
前記ＭＲが指定の駅にいる場合の、前記ＭＲの管轄下のユーザ機器ＵＥが移転可能なセル情報である隣接セル関係情報を取得するように構成された取得モジュールと、
前記隣接セル関係情報に基づいて、前記ＭＲの隣接セルリストのメンテナンスを行うように構成されたメンテナンスモジュールと、を含むＭＲ隣接セル情報のメンテナンス装置。
【請求項１２】
前記取得モジュールが、
前記指定の駅に関連付けられたドナー基地局ＤｅＮＢから送信された隣接セル関係情報を受信するように構成された第１の受信ユニットを含む請求項１１に記載の装置。
【請求項１３】
前記取得モジュールが、
前記指定の駅に関連つけられたＤｅＮＢにアクセスするように構成された第１のアクセスユニットと、
前記ＵＥに自動隣接セル関係ＡＮＲ測定フローの開始を通知するように構成された第１の通知ユニットと、
前記ＡＮＲ測定フローを介して隣接セル情報を取得し、該隣接セル情報に基づいて前記隣接セル関係情報を確定するように構成された第１の取得ユニットと、を含む請求項１１に記載の装置。
【請求項１４】
前記メンテナンスモジュールが、
取得した前記隣接セル関係情報に基づいて前記ＭＲの隣接セルリストを確立し、又は、取得した前記隣接セル関係情報に基づいて前記ＭＲの既存の隣接セルリストを更新するように構成された第１のメンテナンスユニットを含む請求項１２又は１３に記載の装置。
【請求項１５】
前記取得モジュールが、
前記指定の駅に関連付けられたドナー基地局ＤｅＮＢから送信された第１の隣接セル関係情報を受信するように構成された第２の受信ユニットと、
前記指定の駅に関連つけられたＤｅＮＢにアクセスするように構成された第２のアクセスユニットと、
前記ＵＥにＡＮＲ測定フローの開始を通知するように構成された第２の通知ユニットと、
前記ＡＮＲ測定フローを介して隣接セル情報を取得し、該隣接セル情報に基づいて第２の隣接セル関係情報を確定するように構成された第２の取得ユニットと、を含み、
前記メンテナンスモジュールが、
前記第１の隣接セル関係情報に基づいて初期隣接セルリストを確立するように構成された確立ユニットと、
前記第２の隣接セル関係情報に基づいて前記初期隣接セルリストの完全化又は更新を行うように構成させた第２のメンテナンスユニットと、を含む請求項１１に記載の装置。
【発明の詳細な説明】
【技術分野】
【０００１】
本発明は、通信分野に関し、具体的には、移動中継（Ｍｏｂｉｌｅ  Ｒｅｌａｙ、以下ＭＲと略称）隣接セル情報のメンテナンス方法及び装置に関するものである。
【背景技術】
【０００２】
第３世代移動通信システムの通信分野における競争力を保持するため、第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、以下３ＧＰＰと略称）標準作業チームは、発展型パケットシステム（Ｅｖｏｌｖｅｄ  Ｐａｃｋｅｔ  Ｓｙｓｔｅｍ、以下ＥＰＳと略称）の研究に力を注いでいる。ＥＰＳシステム全体は主に、進化型地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、以下Ｅ−ＵＴＲＡＮと略称）と、進化型パケットコアネットワーク（Ｅｖｏｌｖｅｄ  Ｐａｃｋｅｔ  Ｃｏｒｅ、以下ＥＰＣと略称）との二つの部分を含む。該システムのＥＰＣは、ユーザによるクロバール移動通信（Ｇｌｏｂａｌ  ｓｙｓｔｅｍ  ｆｏｒ  Ｍｏｂｉｌｅ  Ｃｏｍｍｕｎｉｃａｔｉｏｎ、以下ＧＳＭ（登録商標）と略称）システム／ＧＳＭ（登録商標）革新のための強化データレート（Ｅｎｈａｎｃｅｄ  Ｄａｔａ  Ｒａｔｅ  ｆｏｒ  ＧＳＭ（登録商標）  Ｅｖｏｌｕｔｉｏｎ、以下ＥＤＧＥと略称）無線アクセスネットワーク（ＧＳＭ（登録商標）  ＥＤＧＥ  ｒａｄｉｏ  ａｃｃｅｓｓ  ｎｅｔｗｏｒｋ、以下ＧＥＲＡＮと略称）と汎用地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、以下ＵＴＲＡＮと略称）からのアクセスをサポートする。
【０００３】
ＥＰＣパケットコアネットワークにおいて、ホーム加入者サーバ（Ｈｏｍｅ  Ｓｕｂｓｃｒｉｂｅｒ  Ｓｅｒｖｅｒ、以下ＨＳＳと略称）と、移動性管理エンティティ（Ｍｏｂｉｌｉｔｙ  Ｍａｎａｇｅｍｅｎｔ  Ｅｎｔｉｔｙ、以下ＭＭＥと略称）と、サービングゲートウェイ（Ｓｅｒｖｉｎｇ  Ｇａｔｅｗａｙ、以下Ｓ−ＧＷと略称）と、パケットデータネットワークゲートウェイ（ＰＤＮ  Ｇａｔｅｗａｙ、以下Ｐ−ＧＷと略称）と、サービングＧＰＲＳ支援ノード（Ｓｅｒｖｉｎｇ  ＧＰＲＳ  Ｓｕｐｐｏｒｔ  Ｎｏｄｅ、以下ＳＧＳＮと略称）と、ポリシー及び課金ルール機能エンティティ（Ｐｏｌｉｃｙ  ａｎｄ  Ｃｈａｒｇｉｎｇ  Ｅｎｆｏｒｃｅｍｅｎｔ  Ｆｕｎｃｔｉｏｎ、以下ＰＣＲＦと略称）と、を含み、その中において、
ＨＳＳは、ユーザの契約データを永久に記憶する箇所で、ユーザ契約が帰属されるネットワークであって、
ＭＭＥは、ユーザの契約データを現在のネットワークで記憶する箇所で、端末からネットワークの非アクセス層（Ｎｏｎ−Ａｃｃｅｓｓ  Ｓｔｒａｔｕｍ、以下ＮＡＳと略称）へのシグナル管理、ユーザのアイドルモードでのトラッキング及び呼び出し管理機能とベアラ（ベアリング）管理を行っていて、
Ｓ−ＧＷは、コアネットワークから無線システムへのゲートウェイで、端末からコアネットワークへのユーザインターフェースのベアラ、端末のアイドルモードでのデータバッファリング、ネットワーク側からサービス要求を発する機能、合法的な傍受、パケットデータルーティング、転送機能を実現し、
Ｐ−ＧＷは、発展したパケットシステムと該システムの外部ネットワークのゲートウェイで、端末のＩＰアドレスの割り当て、課金機能、パケットフィルタリング、ポリシー応用等の機能を実現し、
ＳＧＳＮは、ＧＥＲＡＮとＵＴＲＡＮのユーザがＥＰＣネットワークへアクセスするサービス支援点で、その機能はＭＭＥに類似し、ユーザの位置の更新、呼び出し管理、ベアラ管理等の機能を実現し、
ＰＣＲＦは、ポリシー及び課金実行機能（Ｐｏｌｉｃｙ  ａｎｄ  Ｃｈａｒｇｉｎｇ  Ｅｎｆｏｒｃｅｍｅｎｔ  Ｆｕｎｃｔｉｏｎ、以下ＰＣＥＦと略称）にポリシー制御及び課金ルールを提供する。
【０００４】
ある場合には、無線カバー範囲を拡張するため、又はアクセスユーザの無線提供能力を一時的に補強するため、中継（Ｒｅｌａｙ）ノードの概念を導入した。該ネットワークの構造は図１に示し、ネットワークエレメントは、以下のようである：
中継ノード（Ｒｅｌａｙ  Ｎｏｄｅ、以下ＲＮと略称）は、ユーザ機器（Ｕｓｅｒ  Ｅｑｕｉｐｍｅｎｔ、以下ＵＥと略称）と中継ノードの二つの機能を果たしている。ＲＮは、ＵＥアクセスネットワークとして、ベアラ等の関連する操作を確立する一方、進化型基地局（Ｅ−ＵＴＲＡＮ  ＮｏｄｅＢ、以下ｅＮＢと略称）として、ＵＥにアクセスを提供する。
【０００５】
ドナー基地局（Ｄｏｎｏｒ  ｅＮｏｄｅＢ、以下ＤｅＮＢと略称）は、ＲＮに無線アクセスを提供して、ＲＮ−ＵＥの無線リソース制御（Ｒａｄｉｏ  Ｒｅｓｏｕｒｃｅ  Ｃｏｎｔｒｏｌ、以下ＲＲＣと略称）シグナルを終了させ、ＲＮ−ｅＮＢのＳ１ＡＰシグナル及びＸ２シグナルを終了させる。同時に、ＲＮ−ＵＥのＳＧＷとＰＧＷを内蔵する。
【０００６】
中継ノードのオペレータ管理（Ｒｅｌａｙ  Ｎｏｄｅ  Ｏｐｅｒａｔｏｒ  ａｎｄ  Ｍａｎａｇｅｍｅｎｔ、以下ＲＮ  ＯＡＭと略称）システムは、ＲＮがそれから必要な接続情報を取得するものである。
【０００７】
事業者は、例えば辺ぴな未発達な地域、又は突然開催された大型会議又は試合等の有線接続を配置しにくい箇所に中継ノードを配置することによって基地局のカバー範囲を拡張するために上記の構造を配置する。この場合、中継ノードの位置は通常固定されている。しかし、中継ノードの応用につれて、事業者は当該技術をさらに多方面に応用し始め、例えば、高速鉄道において、列車が高速で移動するので、列車沿線に大量の有線通信施設を配置しなければならなく、それにより事業者の配置コストが増加される。一方、中継ノードとドナー基地局との間の無線リンクによると、該コストを低減させることができるので、事業者の注目を浴びていて、このような機器は移動中継と呼ばれる（図１を参照）。高速鉄道の場合の特徴は以下のようである。
列車が高速に運転し、例えば３５０ｋｍ／ｈ、（ヨーロッパのＥｕｒｏｓｔａｒ列車の場合、その長さは３９３メートルで、速度は３００ｋｍ／ｈに達し、日本の新幹線の場合、その長さは４８０メートルで、速度は３００ｋｍ／ｈに達し、中国の高速鉄道の場合、長さは４３２メートルで、速度は３５０ｋｍ／ｈに達する）、
一定の線路に沿って運転し、
列車車両の信号の透過損失が高く、
列車上のユーザが列車に対して静止状態又は徒歩速度で移動する。
【０００８】
現在のＭＲ使用状況の特別性、つまり、高速鉄道での使用に鑑みて、以下の方面からＭＲの自動隣接セル最適化を実現することができる。
ＭＲが高速鉄道のユーザのみのためにサービスを提供するので、列車の走行中、ソースＤｅＮＢは該ＭＲに対して明確な切替ターゲットセルがあって、且つ、列車の走行中に、ＭＲ下のユーザは相対静止状態であるので単独の切り換えを行う必要がないので、ＭＲを列車走行中にＵＥとする場合、自動隣接セル関係（Ａｕｔｏｍａｔｉｃ  Ｎｅｉｇｈｂｏｒ  Ｒｅｌａｔｉｏｎ、以下ＡＮＲと略称）の測定を行う必要がなく、ｅＮＢとする場合も隣接セル関係テーブル（Ｎｅｉｇｈｂｏｒ  Ｒｅｌａｔｉｏｎ  Ｔａｂｌｅ、以下ＮＲＴと略称）のメンテナンスを行う必要がない。ここでのＡＮＲは主にＭＲをｅＮＢとした場合のみを考慮する。従って、ＭＲにとって、列車が駅に到着して停止した場合、ＭＲ下のユーザは外部のマクロセルに移転しなければならないので、この時、隣接セル関係に基づいてユーザ移転を実現しなければならない。
【０００９】
長期進化型（Ｌｏｎｇ−Ｔｅｒｍ  Ｅｖｏｌｕｔｉｏｎ、以下ＬＴＥと略称）ＡＮＲの需要との相違点は、ＭＲのＡＮＲは特定のときのみ作動するが、ＬＴＥ  ＡＮＲは作動の制限を受けないことにある。列車の運転中にＭＲにＮＲＴテーブルを記憶したりメンテナンスしたりする必要がなく、つまり、ＡＮＲ機能を必要としない。移動環境で（例えば高速鉄道の運転環境）のＭＲが如何に、隣接セル自動生成及び最適化を実現するかについて未だに有効な解決案が提示されているとはいえない。よって、移動環境（高速鉄道環境）において移動中継ノードを配置する場合、如何に移動中継による隣接セル自動生成及び最適化を保証するかは解決すべき問題である。
関連技術における上記問題について、未だに有効な解決案が提示されていないのである。
【発明の概要】
【発明が解決しようとする課題】
【００１０】
関連技術において、移動環境（例えば高速鉄道環境）においてＭＲが如何に隣接セル自動生成及び最適化を実現するか等の技術問題に鑑みて、本発明の実施例は、少なくとも上記問題を解決できる移動中継隣接セル情報のメンテナンス方法及び装置を提供することをその目的とする。
【課題を解決するための手段】
【００１１】
本発明の一実施例によると、ＭＲに応用されるＭＲ隣接セル情報のメンテナンス方法であって、ＭＲが指定の駅にいる場合の、ＭＲの管轄下のユーザ機器ＵＥが移転可能なセル情報を含む隣接セル関係情報を取得することと、隣接セル関係情報に基づいて、ＭＲの隣接セルリストのメンテナンスを行うことと、を含むＭＲ隣接セル情報のメンテナンス方法を提供する。
【００１２】
ＭＲが指定の駅にいる場合の隣接セル関係情報を取得することが、指定の駅に関連付けられたドナー基地局ＤｅＮＢから送信された隣接セル関係情報を受信することを含むことが好ましい。
【００１３】
ＭＲとＤｅＮＢとの間のＸ２インターフェースメッセージ又はＳ１インターフェースメッセージにより隣接セル関係情報を受信する方式で、指定の駅に関連付けられたＤｅＮＢから送信された隣接セル関係情報を受信することが好ましい。
【００１４】
ＭＲが指定の駅にいる場合の隣接セル関係情報を取得することが、指定の駅に関連付けられたＤｅＮＢにアクセスすることと、ＵＥにＡＮＲ測定フローの開始を通知することと、ＡＮＲ測定フローを経て隣接セル情報を取得し、該隣接セル情報に基づいて隣接セル関係情報を確定することとを含むことが好ましい。
【００１５】
ＵＥにＡＮＲ測定フローの開始を通知することが、ＵＥにＡＮＲ測定フローの開始を指示するための指示情報を載せた下り専用メッセージによってＵＥにＡＮＲ測定フローの開始を通知することを含むことが好ましい。
【００１６】
隣接セルリストがＬＴＥシステム間又は周波数間の隣接セル関係情報である場合、下り専用メッセージには、測定対象であるターゲットＬＴＥシステム又は周波数帯域情報がさらに載せられることが好ましい。
【００１７】
取得した隣接セル関係情報に基づいて、ＭＲの隣接セルリストのメンテナンスを行うことは、取得した隣接セル関係情報に基づいて、ＭＲの隣接セルリストを確立することと、取得した隣接セル関係情報に基づいて、ＭＲの既存の隣接セルリストを更新することの中の一つを含むことが好ましい。
【００１８】
隣接セルリストが、長期進化型ＬＴＥシステム内又は周波数内の隣接セル関係情報、ＬＴＥ周波数間又はシステム間の隣接セル関係情報の中の一つを含むことが好ましい。
【００１９】
ＭＲが移動して指定の駅にいる場合の隣接セル関係情報を取得することが、指定の駅に関連付けられたドナー基地局ＤｅＮＢから送信された第１の隣接セル関係情報を受信することと、指定の駅に関連付けられたＤｅＮＢにアクセスすることと、ＵＥにＡＮＲ測定フローの開始を通知することと、ＡＮＲ測定フローをにより隣接セル情報を取得し、該隣接セル情報に基づいて、第２の隣接セル関係情報を確定することと、を含み、取得した隣接セル関係情報に基づいて、移動中継の隣接セルリストのメンテナンスを行うことが、第１の隣接セル関係情報に基づいて、初期隣接セルリストを確立することと、第２の隣接セル関係情報に基づいて、初期隣接セルリストの完全化又は更新を行うことと、を含むことが好ましい。
【００２０】
上記方法が、ＭＲが指定の駅の次の駅に移動した場合、隣接セル関係情報の取得を停止することをさらに含むことが好ましい。
【００２１】
本発明の他の実施例によると、ＭＲに応用されるＭＲ隣接セル情報のメンテナンス装置であって、ＭＲが指定の駅にいる場合の、ＭＲの管轄下のＵＥが移転可能なセル情報である隣接セル関係情報を取得するように構成された取得モジュールと、隣接セル関係情報に基づいて、ＭＲの隣接セルリストのメンテナンスを行うように構成されたメンテナンスモジュールと、を含むＭＲ隣接セル情報のメンテナンス装置を提供する。
【００２２】
取得モジュールが、指定の駅に関連付けられたドナー基地局（ＤｅＮＢ）から送信された隣接セル関係情報を受信するように構成された第１の受信ユニットを含むことが好ましい。
【００２３】
取得モジュールが、指定の駅に関連つけられたＤｅＮＢにアクセスするように構成された第１のアクセスユニットと、ＵＥにＡＮＲ測定フローの開始を通知するように構成された第１の通知ユニットと、ＡＮＲ測定フローを介して隣接セル情報を取得し、該隣接セル情報に基づいて隣接セル関係情報を確定するように構成された第１の取得ユニットと、を含むことが好ましい。
【００２４】
上記メンテナンスモジュールが、取得した隣接セル関係情報に基づいてＭＲの隣接セルリストを確立し、又は、取得した隣接セル関係情報に基づいてＭＲの既存の隣接セルリストを更新するように構成された第１のメンテナンスユニットを含むことが好ましい。
【００２５】
取得モジュールが、指定の駅に関連付けられたドナー基地局ＤｅＮＢから送信された第１の隣接セル関係情報を受信するように構成された第２の受信ユニットと、指定の駅に関連つけられたＤｅＮＢにアクセスするように構成された第２のアクセスユニットと、ＵＥにＡＮＲ測定フローの開始を通知するように構成された第２の通知ユニットと、ＡＮＲ測定フローを介して隣接セル情報を取得し、該隣接セル情報に基づいて第２の隣接セル関係情報を確定するように構成された第２の取得ユニットと、を含み、メンテナンスモジュールが、第１の隣接セル関係情報に基づいて初期隣接セルリストを確立するように構成された確立ユニットと、第２の隣接セル関係情報に基づいて初期隣接セルリストの完全化又は更新を行うように構成させた第２のメンテナンスユニットと、を含むことが好ましい。
【００２６】
本発明によると、ＭＲが指定の駅にいる場合の隣接セル関係情報を取得してＭＲの隣接セルリストのメンテナンスを行う技術手段を用いることによって、関連技術における移動環境（例えば高速鉄道環境）にてＭＲが如何に隣接セル自動生成及び最適化を実現するかの問題を解決し、ＭＲ下のＵＥが適切な隣接セルに高速に移転することができ、ＭＲの切り換えプロセス及びネットワーク性能の最適化を実現できる。
【図面の簡単な説明】
【００２７】
ここで説明する図面は本発明を理解させるためのもので、本発明の一部を構成し、本発明における実施例と共に本発明を解釈し、本発明を不当に限定するのではない。
【図１】図１は、関連技術に係わる移動中継配置状況を示す図である。
【図２】図２は、本発明の実施例１に係わるＭＲ隣接セル情報のメンテナンス方法を示すフローチャートである。
【図３】図３は、本発明の実施例１に係わるＭＲ隣接セル情報のメンテナンス装置の構造を示すブロック図である。
【図４】図４は、本発明の実施例１に係わるＭＲ隣接セル情報のメンテナンス装置の他の構造を示すブロック図である。
【図５】図５は、本発明の実施例２に係わるＭＲ隣接セル情報のメンテナンス方法を示すフローチャートである。
【図６】図６は、本発明の実施例３に係わるＭＲ隣接セル情報のメンテナンス方法を示すフローチャートである。
【図７】図７は、本発明の実施例４に係わるＭＲ隣接セル情報のメンテナンス方法を示すフローチャートである。
【図８】図８は、本発明の実施例５に係わるＭＲ隣接セル情報のメンテナンス方法を示すフローチャートである。
【発明を実施するための形態】
【００２８】
以下、図面を参照しつつ実施例を結合して本発明を詳しく説明する。ここで、衝突しない限り、本願の実施例及び実施例に記載の特徴を組み合わせることができる。
関連技術において、移動環境（例えば高速鉄道環境）にてＭＲが如何に隣接セル自動生成及び最適化を実現するかについての解決案を提示していない問題に鑑みて、以下、実施例を結合して関連する解決案を提示し、詳しく説明する。
【００２９】
実施例１
図２は本発明の実施例１に係わるＭＲ隣接セル情報のメンテナンス方法を示すフローチャートである。該方法はＭＲに応用され、
ＭＲが指定の駅にいる（常駐する）場合の隣接セル関係情報を取得するステップＳ２０２と、ここで、隣接セル関係情報はＭＲの管轄下のＵＥが移転可能なセル情報を含み、
隣接セル関係情報に基づいて、ＭＲの隣接セルリストのメンテナンスを行うステップＳ２０４と、を含む。
【００３０】
上記処理ステップによって、ＭＲが駅にいる際に上記隣接セル関係情報を取得し、該隣接セル関係情報に基づいてＭＲの隣接セルリストのメンテナンスを行うので、ＭＲが隣接セル自動生成及び最適化を実現することができる。
【００３１】
ステップＳ２０２において、上記隣接セル関係情報を取得する方式はさまざまであって、例えば、ＭＲに予め設定して、上記指定の駅への到着時をトリガーして有効にすることができ、本実施例において、以下の方法で実現することもできる：
第１種方法について、
指定の駅に到着して常駐した後、ＤｅＮＢが隣接セル関係情報をＭＲに送信し、つまり、ＭＲの場合、上記指定の駅に関連付けられたＤｅＮＢから送信された隣接セル関係情報を受信する。該方法によると、ＭＲとＤｅＮＢとの間のＸ２インターフェースメッセージ又はＳ１インターフェースメッセージを介して隣接セル関係情報を受信する。具体的に応用する場合、上記処理ステップを以下のような実現することができる。
ＭＲが駅に移動した時、駅位置のＤｅＮＢ（即ち、駅に関連つけられたＤｅＮＢ）が地上インターフェースを介して、ＭＲに隣接セル情報（即ち、隣接セル関係情報）を伝送する。ＭＲとＤｅＮＢとの間にＸ２インターフェースが存在すると、ＤｅＮＢはＸ２インターフェースメッセージを介して、ローカルの隣接セル情報、例えばＸ２確立要求、応答メッセージ、基地局配置更新メッセージ等をＭＲに伝送する。ＭＲとＤｅＮＢとの間にＸ２インターフェースがないと、ＤｅＮＢはＳ１インターフェースを介して伝送することができる。
【００３２】
第２種方法について
該方法は、ＵＥにＡＮＲ測定の開始を通知して上記隣接セル関係情報を取得しなければならなく、具体的に、上述したＭＲが指定の駅にいる場合の隣接セル関係情報の取得は以下のステップによって実現される。
（１）指定の駅に関連付けられたＤｅＮＢにアクセスする。
（２）ＵＥに自動隣接セル関係ＡＮＲ測定フローの開始を通知する。
（３）ＡＮＲ測定フローを介して隣接セル情報を取得し、該隣接セル情報に基づいて、上記隣接セル関係情報を確定する。
【００３３】
該方法において、下り専用メッセージによって、ＵＥにＡＮＲ測定フローの開始を通知し、ここで、下り専用メッセージに、ＵＥにＡＮＲ測定フローの開始を指示するための指示情報が載せられる。
【００３４】
該方法において、隣接セルリストがＬＴＥシステム間又は周波数間の隣接セル関係情報である場合、下り専用メッセージに、測定対象であるターゲットＬＴＥシステム又は周波数帯域の情報がさらに載せられる。
【００３５】
該方法の実現過程はＵＥに基づく解決案であって、具体的には以下のプロセスによって実施される。
（１）ＬＴＥ内／周波数内（Ｉｎｔｒａ−ＬＴＥ／ｆｒｅｑｕｅｎｃｙ）隣接セル自動生成及び最適化
テーブルの一時的な構築であって且つ地域性が強いので、ＤｅＮＢの指導で行うことができる。例えば、列車が駅に到着し、ＭＲが駅ＤｅＮＢに切り換えし、駅ＤｅＮＢで属性配置を設定して、該ＤｅＮＢが一つの駅に関連つけられたＤｅＮＢであると判定する。ＭＲは、ＭＲ  ＯＡＭからＤｅＮＢリストを取得する際、該属性配置情報、例えば駅のＤｅＮＢマーク情報等を取得し、
ＭＲが該ＤｅＮＢにアクセスした後、ＭＲがＵＥにＡＮＲ測定及び処理の開始を通知する。つまり、ＭＲがエアインターフェースで下り専用メッセージを介してＵＥに測定を行うことを通知し、メッセージには指示情報、例えばＡＮＲ測定のオン等が載せられ、
ＵＥがセルＢに関する測定結果を送信する。結果は、クロバール識別子（Ｇｌｏｂａｌ−ＣＩＤ、以下ＧＣＩと略称）ではなく、セルＢのセル物理識別子（Ｐｈｙ−ＣＩＤ、以下ＰＣＩと略称）を含み、
ＭＲがＵＥから送信されたＰｈｙ−ＣＩＤを含む測定結果を受信し、以下のステップを実行する。
ＭＲがＵＥに、新しく発現したＰｈｙ−ＣＩＤをパラメータとして、関連する隣接セルのＧｌｏｂａｌ−ＣＩＤ、トラッキング領域コード（Ｔｒａｃｋｉｎｇ  Ａｒｅａ  Ｃｏｄｅ、以下ＴＡＣと略称）、全ての利用可能な公共地上移動ネットワーク（Ｐｕｂｌｉｃ  Ｌａｎｄ  Ｍｏｂｉｌｅ  Ｎｅｔｗｏｒｋ、以下ＰＬＭＮと略称）  ＩＤを読み取ることを通知し、ＵＥが隣接セルのＧｌｏｂａｌ−ＣＩＤを取得すると、ＵＥがそれをサービングセルのＭＲに報知し、
ＭＲが当該隣接セル関係に加入すると決定し、Ｐｈｙ−ＣＩＤとＧｌｏｂａｌ−ＣＩＤ及びＵＥが報知した他の情報を用いて、システム内／周波数内の隣接セルリストを更新することができる。
【００３６】
（２）システム間／周波数間（Ｉｎｔｅｒ−ＲＡＴ／Ｉｎｔｅｒ−ｆｒｅｑｕｅｎｃｙ）の隣接セル自動生成及び最適化
テーブルの一時的な構築であって且つ地域性が強く、且つ、Ｉｎｔｅｒ−ＲＡＴ／Ｉｎｔｅｒ−ｆｒｅｑｕｅｎｃｙ測定を行うので、ＤｅＮＢの指導で行わなければならない。例えば列車が駅に到着し、ＭＲが駅のＤｅＮＢに切り換えし、駅のＤｅＮＢに属性配置を設定して、該ＤｅＮＢが一つの駅に関連つけられたＤｅＮＢであると判定する。ＭＲは、ＭＲ  ＯＡＭからＤｅＮＢリストを取得する際に該属性配置情報、例えば駅ＤｅＮＢマーク情報を取得することができる。
Ａ）ＭＲが該ＤｅＮＢにアクセスした後、ＵＥにＡＮＲ測定及び処理の開始を通知することができる。つまり、ＭＲがエアインターフェースで下り専用メッセージを介してＵＥに測定を通知する。ここで、指示情報、例えばＡＮＲ測定のオンをを含むと共に、測定対象であるターゲットシステム／周波数帯域の測定情報も含むべきである。
Ｂ）ＵＥが測定して得たターゲットシステム／周波数帯域セルのＰｈｙ−ＣＩＤを報知する。
ＭＲは、ＵＥが報知したセルＰｈｙ−ＣＩＤを受信した後、以下のステップを実行する。
Ｃ）ＭＲがＵＥに、新しく発現したＰｈｙ−ＣＩＤをパラメータとして、検出されたターゲットシステムのＧｌｏｂａｌ−ＣＩＤ、又は検出されたターゲット周波数帯域のＧｌｏｂａｌ−ＣＩＤ、ＴＡＣ、全ての利用可能なＰＬＭＮ  ＩＤを読み取ることを通知する。従って、ＭＲは、ＵＥが検出された隣接セルの放送チャネルを介してＧｌｏｂａｌ−ＣＩＤを読み取るように、適切な空き周期をスケジューリングしなければならない。
Ｄ）ＵＥが検出されたターゲットシステムのＧｌｏｂａｌ−ＣＩＤ、又は検出されたのターゲット周波数帯域のＧｌｏｂａｌ−ＣＩＤ、ＴＡＣ、全ての利用可能なＰＬＭＮ  ＩＤを読み取った後、それをサービングセルのＭＲに報知する。
ＭＲが当該隣接セル関係に加入すると決定し、Ｐｈｙ−ＣＩＤとＧｌｏｂａｌ−ＣＩＤ及びＵＥが報知した他の情報に基づいて、システム間／周波数間の隣接セルリストを更新する。
【００３７】
本実施例において、ステップＳ２０４中の「メンテナンス」は、確立と更新の二つの意味を持つことができ、具体的に、ステップＳ２０４が、取得した隣接セル関係情報に基づいてＭＲの隣接セルリストを確立することと、取得した隣接セル関係情報に基づいてＭＲの既存の隣接セルリストを更新することの中の一つを含むことができる。
【００３８】
本実施例において、上記隣接セルリストは、ＬＴＥシステム内又は周波数内の隣接セル関係情報、ＬＴＥ周波数間又はシステム間の隣接セル関係情報の中の一つを含むことができる。
【００３９】
第３種方法について
該方法は第１種方法と第２種方法を結合した方案に相当する。先ず、第１種方法で初期隣接セルリストを確立し、その後、第２種方法で初期隣接セルリストの完全化又は更新を行うことができ、具体的には、
ＭＲが移動して指定の駅にいた（常駐した）場合の隣接セル関係情報を取得し、以下のプロセスによって実現することができる：指定の駅に関連付けられたＤｅＮＢから送信された第１の隣接セル関係情報を受信し、指定の駅に関連付けられたＤｅＮＢにアクセスし、ＵＥにＡＮＲ測定フローの開始を通知し、ＡＮＲ測定フローを介して隣接セル情報を取得し該隣接セル情報に基づいて第２の隣接セル関係情報を確定する。
取得した隣接セル関係情報に基づいて移動中継の隣接セルリストのメンテナンスを行って、以下のプロセスによって実現することができる：第１の隣接セル関係情報に基づいて初期隣接セルリストを確立し、第２の隣接セル関係情報に基づいて初期隣接セルリストの完全化又は更新を行う。
【００４０】
本実施例において、ＭＲが指定の駅の次の駅に移動した場合、隣接セル関係情報の取得を停止する。具体的に実施する場合、上記処理ステップを以下の形式で実現することができる：
ＡＮＲを作動させた後、ＭＲが駅ＤｅＮＢの次のＤｅＮＢに移動して自動的に停止し、ローカルＮＲＴテーブルを空きにする。下り専用メッセージを介して、ＵＥに通知することができ、例えばメッセージに停止指示を載せることができれば、ＲＲＣ再配置メッセージによって測定重配置、例えばサービングセルの信号品質のみを検出することもできる。
【００４１】
本実施例においてさらに、ＭＲ隣接セル情報のメンテナンス装置を提供し、該装置はＭＲに応用されるものであって、上記実施例及び好適な実施形態を実現するものであって、既に説明した部分の説明は省略する。以下、該装置におけるモジュールを説明する。以下の使用する用語「モジュール」は、所定の機能を実現できるのソフトウェア及び／又はハードウェアの組合せである。以下の実施例で説明する装置をソフトウェアで実現することが好ましいが、ハードウェア又はソフトウェアとハードウェアの組合せで実現することも可能である。図３は本発明の実施例１に係わるＭＲ隣接セル情報のメンテナンス装置の構造を示すブロック図である。図３に示すように、該装置は、
メンテナンスモジュール３２に接続されて、ＭＲが指定の駅にいる場合の隣接セル関係情報を取得するように構成された取得モジュール３０と、ここで、隣接セル関係情報はＭＲの管轄下のＵＥが移転可能なセル情報であり、
上記隣接セル関係情報に基づいてＭＲの隣接セルリストのメンテナンスを行うように構成されたメンテナンスモジュール３２と、を含む。
【００４２】
上記各モジュールにより実現できる機能によると、同じく、ＭＲが駅にいる場合に上記隣接セル関係情報を取得することができ、また、該隣接セル関係情報に基づいて、ＭＲの隣接セルリストのメンテナンスを行うので、該装置によってもＭＲが隣接セル自動生成及び最適化を実現することができる。
【００４３】
本実施例において、図４に示すように、上記取得モジュールは、指定の駅に関連付けられたＤｅＮＢから送信された隣接セル関係情報を受信するように構成された第１の受信ユニット３００を含むことができる。
【００４４】
本実施例において、図４に示すように、上記取得モジュールは、第１の通知ユニット３０４に接続されて、指定の駅に関連するＤｅＮＢにアクセスするように構成された第１のアクセスユニット３０２と、第１の取得ユニット３０６に接続されて、ＵＥにＡＮＲ測定フローの開始を通知するように構成された第１の通知ユニット３０４と、ＡＮＲ測定フローを介して隣接セル情報を取得し、該隣接セル情報に基づいて第２の隣接セル関係情報を確定するように構成された第１の取得ユニット３０６と、をさらに含むことができる。
【００４５】
本実施例において、図４に示すように、上記メンテナンスモジュール３２は、
取得した隣接セル関係情報に基づいて、移動中継の隣接セルリストを確立し、又は、取得した隣接セル関係情報に基づいて、移動中継の既存の隣接セルリストを更新するように構成された第１のメンテナンスユニット３２０を含むことができる。
【００４６】
本実施例において、図４に示すように、上記取得モジュール３０は、
指定の駅に関連付けられたＤｅＮＢから送信された第１の隣接セル関係情報を受信するように構成された第２の受信ユニット３０８と、
第２の通知ユニット３１２に接続されて、指定の駅に関連つけられたＤｅＮＢにアクセスするように構成された第２のアクセスユニット３１０と、
第２の取得ユニット３１４に接続されて、ＵＥにＡＮＲ測定フローの開始を通知するように構成された第２の通知ユニット３１２と、
ＡＮＲ測定フローを介して第２の隣接セル関係情報を取得するように構成された第２の取得ユニット３１４と、をさらに含み、
メンテナンスモジュール３２が、
第２のメンテナンスユニット３２４に接続されて、第１の隣接セル関係情報に基づいて初期隣接セルリストを確立するように構成された確立ユニット３２２と、
第２の隣接セル関係情報に基づいて初期隣接セルリストの完全化又は更新を行うように構成された第２のメンテナンスユニット３２４と、をさらに含むことができる。
【００４７】
上記実施例を一層理解させるため、以下、実施例２〜５と関連する図面を結合して詳しく説明する。以下の実施例で説明する解決案は、一時的なＮＲＴテーブルで高速の確立の求められる、ＮＲＴテーブルの地域性が強く、各駅のＮＲが全て異なっている、ＡＮＲがネットワーク側の指導によって行われる、等のＭＲ  ＡＮＲの特徴に基づいて行われる。
【００４８】
実施例２
本実施例の目的は、高速鉄道の状況下、ネットワーク側に基づく解決案又はＵＥによる報知に基づく解決案、又は混合した解決案によって、ＭＲが駅に進入した後の隣接セル自動生成及び最適化を実現し、ＭＲ下のユーザが適切な隣接セルに高速且つ有効に移転することができ、また、ＵＥの電気消費を最大限に節約でき、移動中継の切り換えの最適化及びネットワーク性能の向上を実現できる。
【００４９】
本実施例で提供するＭＲ隣接セル情報のメンテナンス方法によると、インターフェースによる伝送又はエアインターフェースでの報知の方式で、ＭＲの隣接セル自動生成及び最適化を実現することができ、ネットワークの性能の最適化に有利であって、ユーザの満足度を高める。
【００５０】
上記目的を実現するため、本実施例において以下の技術案を利用する。
ＭＲとＤｅＮＢとの間いにＸ２インターフェースが存在すると仮説すると、図５に示すように、該方法は以下のステップを含む。
ＭＲが駅に移動した場合、即ち、ＭＲが駅位置のＤｅＮＢに切り換えした場合、該ＤｅＮＢはＸ２インターフェースを介して、ＭＲに隣接セル情報を伝送し、Ｘ２インターフェースプロセスメッセージ又はｅＮＢ基地局配置更新メッセージによって伝送することができ、前者である場合はステップＳ５０４に移行し、後者の場合はステップＳ５０８に移行する（ステップＳ５０２）。
ＭＲがＤｅＮＢにＸ２インターフェース確立要求を送信する（ステップＳ５０４）。
【００５１】
ＤｅＮＢが、ＭＲにＸ２インターフェース確立応答を送信し、該応答にＤｅＮＢの全てのサービングセル情報が載せられる（ステップＳ５０６）。
ＤｅＮＢが、Ｘ２確立要求メッセージを介して、ＭＲに駅配置更新メッセージ送信し、該メッセージにＤｅＮＢの全てのサービングセル情報が載せられる（ステップＳ５０８）。
ＭＲは、Ｘ２インターフェースメッセージを受信した後、選択的に応答メッセージ中のサービングセルを自分の隣接セルとして配置することができ（ステップＳ５１０）、例えばＯＡＭと交換する方式で、隣接セルの黒白テーブルに基づいて制限することができる。
【００５２】
さらに、ＭＲと駅ＤｅＮＢとの間にＸ２インターフェースがないと、Ｓ１インターフェースを介して上記プロセスを実現することができる。
【００５３】
ＭＲ下のＵＥが他の基地局に移転する場合にいずれもＤｅＮＢのセルを介して移行しなければならないと仮説すると、ＭＲに記憶された隣接セル関係がＤｅＮＢと一致すればよい。
【００５４】
上記仮説が成立しないと、つまり、ＭＲ下のユーザが直接にＤｅＮＢ以外のｅＮＢセルに移転し又はＤｅＮＢのサービングセルを介して外部のｅＮＢに移転する。通常、駅地域ＤｅＮＢのカバー領域には必ず、ＵＥがＭＲから離れた後の移動領域が含まれている。ここで、ＤｅＮＢのセルが必ずＭＲセルの隣接セルとして配置されるとは限らない。この時、実施例３〜５の解決案を利用しなければならない。
【００５５】
実施例３
本実施例はＵＥによる報知に基づいてＬＴＥ内／周波数内（Ｉｎｔｒａ−ＬＴＥ／ｆｒｅｑｕｅｎｃｙ）隣接セル自生成及び最適化を実現し、図６に示すように、該方法は以下のステップを含む。
テーブルの一時的な構築であって且つ地域性が強いので、ＤｅＮＢの指導で行う。このようにすると、走行中にＵＥがＭＲと一緒に移動し外部のｅＮＢに移転することがないので、列車の走行中にＵＥが別途の測定及び報知を行う必要がなく、ＵＥの電気量を節約するメリットを有する。例えば、列車が駅に到着すると、ＭＲが駅ＤｅＮＢに切り換えし、駅ＤｅＮＢに属性配置を設定して、該ＤｅＮＢが駅に関連するＤｅＮＢであると確定することができる。ＭＲはＭＲ  ＯＡＭからＤｅＮＢリストを取得する際に該属性配置情報、例えば駅ＤｅＮＢマーク情報を取得することができる（ステップＳ６０２）。
【００５６】
ＭＲが該ＤｅＮＢにアクセスした後、ＭＲがＵＥにＡＮＲ測定の開始及び処理を通知する。つまり、ＭＲがエアインターフェースで下り専用メッセージを介して、ＵＥに測定を通知することができ、メッセージに、例えばＡＮＲ測定のオン等の指示情報を載せることができる（ステップＳ６０４）。
【００５７】
ＵＥがセルＢに関する測定結果を送信する。当該結果は、Ｇｌｏｂａｌ−ＣＩＤではなく、セルＢのセル物理識別子（Ｐｈｙ−ＣＩＤ）を含む（ステップＳ６０６）。
【００５８】
ＭＲがＵＥから送信されたＰｈｙ−ＣＩＤを含む測定報告を受信し、ＭＲがＵＥに、新しく発現したＰｈｙ−ＣＩＤをパラメータとして関連する隣接セルのＧｌｏｂａｌ−ＣＩＤ、ＴＡＣ（トラッキング領域コード）、全ての利用可能なＰＬＭＮ  ＩＤを読み取ることを通知する。よって、ＵＥが測定した隣接セルのＧｌｏｂａｌ−ＣＩＤを読み取るように、ＭＲが適切な空き周期をスケジューリングしなければならない（ステップＳ６０８）。
【００５９】
ＵＥが隣接セルのＧｌｏｂａｌ−ＣＩＤを取得し、それをサービングセルのＭＲに報知する。ＭＲが必要である場合、ＵＥはさらに測定した隣接セルのＴＡＣ、全てのＰＬＭＮ  ＩＤを報知する（ステップＳ６１０）。
【００６０】
ＭＲが当該隣接セル関係に加入すると決定し、Ｐｈｙ−ＣＩＤとＧｌｏｂａｌ−ＣＩＤ及びＵＥが報知した他の情報に基づいて、システム内／周波数内の隣接セルリストを更新する（ステップＳ６１２）。
【００６１】
実施例４
本実施例はＵＥによる報知に基づいてシステム間／周波数間（Ｉｎｔｅｒ−ＲＡＴ／Ｉｎｔｅｒ−ｆｒｅｑｕｅｎｃｙ）の隣接セル自生成及び最適化を実現する。図７に示すように、本実施例で提供するＭＲ隣接セル情報のメンテナンス方法は以下のステップを含む。
テーブルの一時的な構築であって且つ地域性が強いので、ＤｅＮＢの指導で行うことができる。このようにすると、走行中にＵＥがＭＲと一緒に移動し外部のｅＮＢに移転することがないので、列車の走行中にＵＥが別途の測定及び報知を行う必要がなく、ＵＥの電気量を節約するメリットを有する。例えば、列車が駅に到着すると、ＭＲが駅ＤｅＮＢに切り換えし、駅ＤｅＮＢに属性配置を設定して、該ＤｅＮＢが駅に関連するＤｅＮＢであると確定することができる。ＭＲはＭＲ  ＯＡＭからＤｅＮＢリストを取得する際に該属性配置情報、例えば駅ＤｅＮＢマーク情報を取得することができる（ステップＳ７０２）。
【００６２】
ＭＲが該ＤｅＮＢにアクセスした後、ＵＥにＡＮＲ測定の開始及び処理を通知する。つまり、ＭＲがエアインターフェースで下り専用メッセージを介して、ＵＥに測定を通知することができる。ここで、例えばＡＮＲ測定のオン等の指示情報を載せることができれば、測定対象であるターゲットシステム／周波数帯域測定情報を載せることもできる。ＭＲがＵＥに、ターゲットシステム／周波数帯域で相隣接セルを測定することを通知する。よって、ＵＥがターゲットシステム／周波数帯域中の利用可能なセルを検出するように、ＭＲが適切な空き周期をスケジューリングしなければならない（ステップＳ７０４）。
【００６３】
ＵＥがセルＢに関する測定結果を送信する。当該結果はセルＢのセル物理識別子（Ｐｈｙ−ＣＩＤ）を含む。Ｐｈｙ−ＣＩＤは、ＵＴＲＡＮ  周波数分割複信（Ｆｒｅｑｕｅｎｃｙ  Ｄｉｖｉｓｉｏｎ  Ｄｕｐｌｅｘｉｎｇ、以下ＦＤＤと略称）セルである場合は、キャリア周波数、プライマリースクランブリングコード（Ｐｒｉｍａｒｙ  Ｓｃｒａｍｂｌｉｎｇ  Ｃｏｄｅ、以下ＰＳＣと略称）により、ＵＴＲＡＮ  時分割複信（Ｔｉｍｅ  Ｄｉｖｉｓｉｏｎ  Ｄｕｐｌｅｘｉｎｇ、以下ＴＤＤと略称）セルである場合は、キャリア周波数、セルパラメータＩＤにより、ＧＥＲＡＮセルである場合は、基地局識別子（Ｂａｓｅ  Ｓｔａｔｉｏｎ  Ｉｄｅｎｔｉｔｙ  Ｃｏｄｅ、以下ＢＳＩＣと略称）と放送制御チャネル（Ｂｒｏａｄｃａｓｔ  Ｃｏｎｔｒｏｌ  Ｃｈａｎｎｅｌ、以下ＢＣＣＨと略称）のＡＲＦＣＮ（絶対無線周波数チャネル番号）により、ＣＤＭＡ２０００  ｃｅｌｌである場合は、ＰＮ  Ｏｆｆｓｅｔにより定義される（ステップＳ７０６）。
【００６４】
ＭＲは、ＵＥから送信されたＰｈｙ−ＣＩＤを含む測定報告を受信し、ＵＥに、新しく発現したＰｈｙ−ＣＩＤをパラメータとして、検出されたターゲットシステムのＧｌｏｂａｌ−ＣＩＤ又は検出されたターゲット周波数帯域のＧｌｏｂａｌ−ＣＩＤ、ＴＡＣ、全ての利用可能なＰＬＭＮ  ＩＤを読み取ることを通知する。ＧＥＲＡＮセルである場合は、汎用ゲートウェイインターフェース（Ｃｏｍｍｏｎ  Ｇａｔｅｗａｙ  Ｉｎｔｅｒｆａｃｅ、以下ＣＧＩと略称）、相対アドレス符号化（Ｒｅｌａｔｉｖｅ  Ａｄｄｒｅｓｓ  Ｃｏｄｉｎｇ、以下ＲＡＣと略称）を読み取り、ＵＴＲＡＮセルである場合は、ＣＧＩ、位置エリアコード（Ｌｏｃａｔｉｏｎ  Ａｒｅａ  Ｃｏｄｅ、以下ＬＡＣと略称）、ＲＡＣを読み取り、ＣＤＭＡ２０００セルである場合は、ＣＧＩを読み取る。ＬＴＥ周波数間セルの場合、ＥＣＧＩと、ＴＡＣと、全ての利用可能なＰＬＭＮ  ＩＤとを含む。従って、ｅＮｏｄｅＢは、ＵＥが検出した隣接セルの放送チャネルによってＧｌｏｂａｌ−ＣＩＤを読み取るように、適切な空き周期をスケジューリングしなければならない（ステップＳ７０８）。
【００６５】
ＵＥがステップＳ７０８中の情報を取得した後、ＵＥはそれをサービングセルのＭＲに報知する（ステップＳ７１０）。
【００６６】
ＭＲが当該隣接セル関係に加入すると決定し、Ｐｈｙ−ＣＩＤとＧｌｏｂａｌ−ＣＩＤ及びＵＥが報知した他の情報に基づいて、システム内／周波数内の隣接セルリストを更新する（ステップＳ７１２）。
【００６７】
実施例５
図８に示すように、本実施例で提供するＭＲ隣接セル情報のメンテナンス方法は以下のステップを含む。
ＭＲは、駅のＤｅＮＢに進入した後、実施例２の方案に従って初期のＮＲＴテーブルを確立する（ステップＳ８０２）。
【００６８】
実施例３〜４の方案に従って、ＵＥによる報知に基づいて、ＮＲＴテーブルの完全化を実現する（ステップＳ８０４）。
なお、実施例２〜５において、ＡＮＲが開始された後、ＭＲは駅ＤｅＮＢの次のＤｅＮＢに移動した場合に自動停止し、ローカルＮＲＴテーブルを空きにする。例えばメッセージに停止指示を載せる等、下り専用メッセージによってＵＥに通知することができれば、ＲＲＣ再配置メッセージによって測定の再配置、例えばサービングセルの信号品質のみを測定すると再配置することができる。
【００６９】
他の実施例において、上記実施例及び好適な実施形態に記載の技術案を実行するためのソフトウェアを提供する。
また、他の実施例において、上記ソフトウェアが格納された記憶媒体を提供し、当該記憶媒体は光ディスク、フロッピ、ハードディスク、書き込み・消去可能なメモリ等を含むが、これらの限定されることはない。
【００７０】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００７１】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2015535671.tif 000003
【図２】
2015535671.tif 000004
【図３】
2015535671.tif 000005
【図４】
2015535671.tif 000006
【図５】
2015535671.tif 000007
【図６】
2015535671.tif 000008
【図７】
2015535671.tif 000009
【図８】
2015535671.tif 000010
【国際調査報告】
2015535671.tif 000011
2015535671.tif 000012
2015535671.tif 000013
2015535671.tif 000014